(57)【特許請求の範囲】
【請求項１】
ユーザ機器（ＵＥ）が実行する、ワイヤレス通信の方法であって、
前記ユーザ機器（ＵＥ）において、サービングｅＮｏｄｅＢからのダウンリンク信号に干渉しているアグレッサｅＮｏｄｅＢを識別することと、
前記ＵＥにおいて、前記サービングｅＮｏｄｅＢから、前記アグレッサｅＮｏｄｅＢに第１のチャネル状態情報（ＣＳＩ）報告を送信するためのアグレッサパラメータと、前記サービングｅＮｏｄｅＢに第２のＣＳＩ報告を送信するためのサービングパラメータとを示す信号を受信することと、ここで、前記アグレッサパラメータは、第１のパラメータと第２のパラメータとを含み、前記第１のパラメータは、周期性または非周期的報告要求を含み、前記第２のパラメータは、少なくともオフセットパラメータ、タイミングアドバンスコマンド、電力制御コマンド、またはこれらの組合せを含む、
前記ＵＥから、前記サービングｅＮｏｄｅＢおよび前記アグレッサｅＮｏｄｅＢが前記ＵＥからの異なるペイロードおよび伝搬遅延を有するときに、前記サービングパラメータとは異なる前記アグレッサパラメータに少なくとも部分的に基づいて、前記アグレッサｅＮｏｄｅＢに前記第１のＣＳＩ報告を送信することと
を含む、ワイヤレス通信の方法。
【請求項２】
前記信号が、バックホールを介して前記アグレッサｅＮｏｄｅＢから前記サービングｅＮｏｄｅＢに送信される、請求項１に記載の方法。
【請求項３】
前記第１のＣＳＩ報告が、前記アグレッサｅＮｏｄｅＢに関連する情報のみを含む、請求項１に記載の方法。
【請求項４】
前記サービングｅＮｏｄｅＢおよび前記アグレッサｅＮｏｄｅＢが前記ＵＥからの同じペイロードおよび伝搬遅延を有するときに、前記第２のＣＳＩ報告が、前記アグレッサｅＮｏｄｅＢに関連する情報と、前記サービングｅＮｏｄｅＢに関連する情報とを含む、請求項１に記載の方法。
【請求項５】
前記送信することが、物理アップリンク制御チャネル（ＰＵＣＣＨ）上で周期的に行われる、請求項１に記載の方法。
【請求項６】
前記アグレッサｅＮｏｄｅＢによってトリガされかつ前記サービングｅＮｏｄｅＢからオーバーエアで受信された信号に応答して、物理アップリンク共有チャネル（ＰＵＳＣＨ）上で前記第１のＣＳＩ報告を非周期的に送信することをさらに含む、請求項１に記載の方法。
【請求項７】
非サービングｅＮｏｄｅＢが実行する、ワイヤレス通信の方法であって、
前記非サービングｅＮｏｄｅＢにおいて、非サーブドユーザ機器（ＵＥ）から、前記非サービングｅＮｏｄｅＢに第１のチャネル状態情報（ＣＳＩ）報告を送信するためのアグレッサ報告パラメータを決定することと、ここで、前記アグレッサ報告パラメータは、第１のパラメータと第２のパラメータとを含み、前記第１のパラメータは、周期性または非周期的報告要求を含み、前記第２のパラメータは、少なくともオフセットパラメータ、タイミングアドバンスコマンド、電力制御コマンド、またはこれらの組合せを含む、
サービングｅＮｏｄｅＢおよびアグレッサｅＮｏｄｅＢが前記ＵＥからの異なるペイロードおよび伝搬遅延を有するときに、サービングｅＮｏｄｅＢにおいて決定されたサービングパラメータとは異なる前記アグレッサパラメータに少なくとも部分的に基づいて、前記非サーブドＵＥからオーバーエアで前記第１のＣＳＩ報告を受信することと
を含む、ワイヤレス通信の方法。
【請求項８】
前記受信することが、前記非サービングｅＮｏｄｅＢにおいて実行される、請求項７に記載の方法。
【請求項９】
前記サービングｅＮｏｄｅＢおよび前記アグレッサｅＮｏｄｅＢが前記ＵＥからの同じペイロードおよび伝搬遅延を有するときに、第２のＣＳＩ報告が前記サービングｅＮｏｄｅＢによって受信される、請求項８に記載の方法。
【請求項１０】
前記第１のＣＳＩ報告が前記サービングｅＮｏｄｅＢによって受信されない、請求項８に記載の方法。
【請求項１１】
前記サービングｅＮｏｄｅＢを対象とする第２のＣＳＩ報告をインターセプトすることをさらに含む、請求項８に記載の方法。
【請求項１２】
前記サービングｅＮｏｄｅＢを介して前記非サーブドＵＥに前記アグレッサ報告パラメータを通信することをさらに含む、請求項７に記載の方法。
【請求項１３】
ワイヤレス通信のための装置であって、
ユーザ機器（ＵＥ）のプロセッサにおいて、サービングｅＮｏｄｅＢからのダウンリンク信号に干渉しているアグレッサｅＮｏｄｅＢを識別するための手段と、
前記ＵＥにおいて、前記サービングｅＮｏｄｅＢから、前記アグレッサｅＮｏｄｅＢに第１のチャネル状態情報（ＣＳＩ）報告を送信するためのアグレッサパラメータと、前記サービングｅＮｏｄｅＢに第２のＣＳＩ報告を送信するためのサービングパラメータとを示す信号を受信するための手段と、ここで、前記アグレッサパラメータは、第１のパラメータと第２のパラメータとを含み、前記第１のパラメータは、周期性または非周期的報告要求を含み、前記第２のパラメータは、少なくともオフセットパラメータ、タイミングアドバンスコマンド、電力制御コマンド、またはこれらの組合せを含む、
前記ＵＥから、前記サービングｅＮｏｄｅＢおよび前記アグレッサｅＮｏｄｅＢが前記ＵＥからの異なるペイロードおよび伝搬遅延を有するときに、前記サービングパラメータとは異なる前記アグレッサパラメータに少なくとも部分的に基づいて、前記アグレッサｅＮｏｄｅＢに前記第１のＣＳＩ報告を送信するための手段と
を含む、ワイヤレス通信のための装置。
【請求項１４】
ワイヤレス通信のための装置であって、
非サービングｅＮｏｄｅＢのプロセッサにおいて、非サーブドユーザ機器（ＵＥ）から、前記非サービングｅＮｏｄｅＢに第１のチャネル状態情報（ＣＳＩ）報告を送信するためのアグレッサ報告パラメータを決定するための手段と、ここで、前記アグレッサ報告パラメータは、第１のパラメータと第２のパラメータとを含み、前記第１のパラメータは、周期性または非周期的報告要求を含み、前記第２のパラメータは、少なくともオフセットパラメータ、タイミングアドバンスコマンド、電力制御コマンド、またはこれらの組合せを含む、
サービングｅＮｏｄｅＢおよびアグレッサｅＮｏｄｅＢが前記ＵＥからの異なるペイロードおよび伝搬遅延を有するときに、サービングｅＮｏｄｅＢにおいて決定されたサービングパラメータとは異なる前記アグレッサパラメータに少なくとも部分的に基づいて、前記非サーブドＵＥからオーバーエアで前記第１のＣＳＩ報告を受信するための手段と
を含む、ワイヤレス通信のための装置。
【請求項１５】
プログラムコードを含む、ワイヤレス通信のためのコンピュータプログラムであって、
前記プログラムコードが、
ユーザ機器（ＵＥ）において、サービングｅＮｏｄｅＢからのダウンリンク信号に干渉しているアグレッサｅＮｏｄｅＢを識別することをプロセッサに行わせるためのプログラムコードと、
前記ＵＥにおいて、前記サービングｅＮｏｄｅＢから、前記アグレッサｅＮｏｄｅＢに第１のチャネル状態情報（ＣＳＩ）報告を送信するためのアグレッサパラメータと、前記サービングｅＮｏｄｅＢに第２のＣＳＩ報告を送信するためのサービングパラメータとを示す信号を受信することを前記プロセッサに行わせるためのプログラムコードと、ここで、前記アグレッサパラメータは、第１のパラメータと第２のパラメータとを含み、前記第１のパラメータは、周期性または非周期的報告要求を含み、前記第２のパラメータは、少なくともオフセットパラメータ、タイミングアドバンスコマンド、電力制御コマンド、またはこれらの組合せを含む、
前記ＵＥから、前記サービングｅＮｏｄｅＢおよび前記アグレッサｅＮｏｄｅＢが前記ＵＥからの異なるペイロードおよび伝搬遅延を有するときに、前記サービングパラメータとは異なる前記アグレッサパラメータに少なくとも部分的に基づいて、前記アグレッサｅＮｏｄｅＢに前記第１のＣＳＩ報告を送信することを前記プロセッサに行わせるためのプログラムコードと
を含む、コンピュータプログラム。
【請求項１６】
プログラムコードを含む、ワイヤレス通信のためのコンピュータプログラムであって、
前記プログラムコードが、
非サービングｅＮｏｄｅＢにおいて、非サーブドユーザ機器（ＵＥ）から、前記非サービングｅＮｏｄｅＢに第１のチャネル状態情報（ＣＳＩ）報告を送信するためのアグレッサ報告パラメータを決定することをプロセッサに行わせるためのプログラムコードと、ここで、前記アグレッサ報告パラメータは、第１のパラメータと第２のパラメータとを含み、前記第１のパラメータは、周期性または非周期的報告要求を含み、前記第２のパラメータは、少なくともオフセットパラメータ、タイミングアドバンスコマンド、電力制御コマンド、またはこれらの組合せを含む、
サービングｅＮｏｄｅＢおよびアグレッサｅＮｏｄｅＢが前記ＵＥからの異なるペイロードおよび伝搬遅延を有するときに、サービングｅＮｏｄｅＢにおいて決定されたサービングパラメータとは異なる前記アグレッサパラメータに少なくとも部分的に基づいて、前記非サーブドＵＥからオーバーエアで前記第１のＣＳＩ報告を受信することを前記プロセッサに行わせるためのプログラムコードと、
を含む、コンピュータプログラム。
【請求項１７】
ワイヤレス通信のためのユーザ機器（ＵＥ）であって、前記ＵＥは、
メモリと、
前記メモリに結合された少なくとも１つのプロセッサと
を含み、
前記少なくとも１つのプロセッサは、
サービングｅＮｏｄｅＢからのダウンリンク信号に干渉しているアグレッサｅＮｏｄｅＢを識別することと、
前記サービングｅＮｏｄｅＢから、前記アグレッサｅＮｏｄｅＢに第１のチャネル状態情報（ＣＳＩ）報告を送信するためのアグレッサパラメータと、前記サービングｅＮｏｄｅＢに第２のＣＳＩ報告を送信するためのサービングパラメータとを示す信号を受信することと、ここで、前記アグレッサパラメータは、第１のパラメータと第２のパラメータとを含み、前記第１のパラメータは、周期性または非周期的報告要求を含み、前記第２のパラメータは、少なくともオフセットパラメータ、タイミングアドバンスコマンド、電力制御コマンド、またはこれらの組合せを含む、
前記サービングｅＮｏｄｅＢおよび前記アグレッサｅＮｏｄｅＢが前記ＵＥからの異なるペイロードおよび伝搬遅延を有するときに、前記サービングパラメータとは異なる前記アグレッサパラメータに少なくとも部分的に基づいて、前記アグレッサｅＮｏｄｅＢに前記第１のＣＳＩ報告を送信することと
を行うように構成される、ユーザ機器（ＵＥ）。
【請求項１８】
前記信号が、バックホールを介して前記アグレッサｅＮｏｄｅＢから前記サービングｅＮｏｄｅＢに送信される、請求項１７に記載のＵＥ。
【請求項１９】
前記第１のＣＳＩ報告が、前記サービングｅＮｏｄｅＢによって受信されない、請求項１７に記載のＵＥ。
【請求項２０】
前記サービングｅＮｏｄｅＢおよび前記アグレッサｅＮｏｄｅＢが前記ＵＥからの同じペイロードおよび伝搬遅延を有するときに、前記第２のＣＳＩ報告が、前記アグレッサｅＮｏｄｅＢに関連する情報と、前記サービングｅＮｏｄｅＢに関連する情報とを含む、請求項１７に記載のＵＥ。
【請求項２１】
前記送信することが、物理アップリンク制御チャネル（ＰＵＣＣＨ）上で周期的に行われる、請求項１７に記載のＵＥ。
【請求項２２】
前記少なくとも１つのプロセッサは、前記アグレッサｅＮｏｄｅＢによってトリガされかつ前記サービングｅＮｏｄｅＢからオーバーエアで受信された信号に応答して、物理アップリンク共有チャネル（ＰＵＳＣＨ）上で前記第１のＣＳＩ報告を非周期的に送信するようにさらに構成される、請求項１７に記載のＵＥ。
【請求項２３】
ワイヤレス通信のための非サービングｅＮｏｄｅＢあって、前記非サービングｅＮｏｄｅＢは、
メモリと、
前記メモリに結合された少なくとも１つのプロセッサと
を含み、
前記少なくとも１つのプロセッサは、
非サーブドユーザ機器（ＵＥ）から、前記非サービングｅＮｏｄｅＢに第１のチャネル状態情報（ＣＳＩ）報告を送信するためのアグレッサ報告パラメータを決定することと、ここで、前記アグレッサ報告パラメータは、第１のパラメータと第２のパラメータとを含み、前記第１のパラメータは、周期性または非周期的報告要求を含み、前記第２のパラメータは、少なくともオフセットパラメータ、タイミングアドバンスコマンド、電力制御コマンド、またはこれらの組合せを含む、
サービングｅＮｏｄｅＢおよびアグレッサｅＮｏｄｅＢが前記ＵＥからの異なるペイロードおよび伝搬遅延を有するときに、サービングｅＮｏｄｅＢにおいて決定されたサービングパラメータとは異なる前記アグレッサパラメータに少なくとも部分的に基づいて、前記非サーブドＵＥからオーバーエアで前記第１のＣＳＩ報告を受信することと
を行うように構成される、非サービングｅＮｏｄｅＢ。
【請求項２４】
前記サービングｅＮｏｄｅＢおよび前記アグレッサｅＮｏｄｅＢが前記ＵＥからの同じペイロードおよび伝搬遅延を有するときに、第２のＣＳＩ報告が前記サービングｅＮｏｄｅＢによって受信される、請求項２３に記載の非サービングｅＮｏｄｅＢ。
【請求項２５】
前記第１のＣＳＩ報告が前記サービングｅＮｏｄｅＢによって受信されない、請求項２３に記載の非サービングｅＮｏｄｅＢ。
【請求項２６】
前記少なくとも１つのプロセッサは、前記サービングｅＮｏｄｅＢを対象とする第２のＣＳＩ報告をインターセプトするようにさらに構成される、請求項２３に記載の非サービングｅＮｏｄｅＢ。
【請求項２７】
前記少なくとも１つのプロセッサは、前記サービングｅＮｏｄｅＢを介して前記非サーブドＵＥに前記報告パラメータを通信するようにさらに構成された、請求項２３に記載の非サービングｅＮｏｄｅＢ。
【発明の詳細な説明】
【技術分野】
【０００１】
関連出願の相互参照
本出願は、その開示全体が参照により本明細書に明確に組み込まれる、２０１１年８月２５日に出願された「MULTI-POINT PUCCH ATTACHMENT」と題する米国仮特許出願第６１／５２７，５５１号の米国特許法第１１９条（ｅ）項に基づく利益を主張する。
【０００２】
本開示の態様は、一般にワイヤレス通信システムに関し、より詳細には、ＰＵＣＣＨを介して多地点アタッチメントを送信することに関する。
【背景技術】
【０００３】
ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
これらの多元接続技術は、異なるワイヤレスデバイスが都市、国家、地域、さらには地球規模で通信することを可能にする共通プロトコルを与えるために様々な電気通信規格において採用されている。新生の電気通信規格の一例は、ロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイルテレコミュニケーションシステム（ＵＭＴＳ：Universal Mobile Telecommunications System）モバイル規格の拡張セットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けているので、ＬＴＥ技術のさらなる改善が必要である。好ましくは、これらの改善は、他の多元接続技術と、これらの技術を採用する電気通信規格とに適用可能であるべきである。
【０００５】
ここでは、以下の詳細な説明がより良く理解されるように、本開示の特徴および技術的利点についてやや広く概説した。以下で、本開示の追加の特徴および利点について説明する。本開示は、本開示の同じ目的を実行するための他の構造を変更または設計するための基礎として容易に利用され得ることを、当業者は諒解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【発明の概要】
【０００６】
本開示の様々な態様は、制御チャネル多地点アタッチメントを介したサービングセルと１つまたは複数の非サービングセルとへの周期的なオーバージエアチャネル状態情報（ＣＳＩ：channel state information）報告を対象とする。チャネル状態情報報告は、非サービングセルにチャネル状態情報報告をどのように送信すべきかを示す情報に基づいて送信され得る。チャネル状態情報報告をどのように送信すべきかを示す情報は、サービングｅＮｏｄｅＢによって提供される。さらに、その情報は、周期性、オフセットパラメータ、タイミングアドバンスコマンド、電力制御コマンド、および／または非周期的報告要求を含み得る。
【０００７】
本開示の他の態様は、非サーブドユーザ機器（ＵＥ）（non-served user equipment）によって送信されるべきチャネル状態情報報告についての報告パラメータをネゴシエートすることと、非サーブドＵＥからオーバーエアでチャネル状態情報報告を受信することとを対象とする。報告パラメータは、非サーブドＵＥのサービングセルを介して非サーブドＵＥに通信され得る。さらに、報告パラメータは、電力制御コマンド、タイミングアドバンスコマンド、および／または非周期的報告要求を含み得る。
【０００８】
本開示の一態様によれば、ワイヤレス通信の方法が提示される。本方法は、サービングｅＮｏｄｅＢからのダウンリンク信号に干渉しているアグレッサｅＮｏｄｅＢを識別することを含む。本方法は、また、アグレッサｅＮｏｄｅＢにチャネル状態情報報告を送信することも含む。
【０００９】
別の態様によれば、ワイヤレス通信の方法が提示される。本方法は、非サーブドＵＥによって送信されるべきチャネル状態情報報告についての報告パラメータを決定することを含む。本方法は、また、非サーブドＵＥからオーバーエアでチャネル状態情報報告を受信することも含む。
【００１０】
また別の態様によれば、ワイヤレス通信のための装置が提示される。本装置は、サービングｅＮｏｄｅＢからのダウンリンク信号に干渉しているアグレッサｅＮｏｄｅＢを識別するための手段を含む。本装置は、また、アグレッサｅＮｏｄｅＢにチャネル状態情報報告を送信するための手段も含む。
【００１１】
さらに別の態様によれば、ワイヤレス通信のための装置が提示される。本装置は、非サーブドＵＥによって送信されるべきチャネル状態情報報告についての報告パラメータを決定するための手段を含む。本装置は、また、非サーブドＵＥからオーバーエアでチャネル状態情報報告を受信するための手段も含む。
【００１２】
一態様によれば、ワイヤレス通信のためのコンピュータプログラム製品が提示される。本コンピュータプログラム製品は、（１つまたは複数の）プロセッサによって実行されたとき、（１つまたは複数の）プロセッサに、サービングｅＮｏｄｅＢからのダウンリンク信号に干渉しているアグレッサｅＮｏｄｅＢを識別する動作を実行することを行わせる、プログラムコードを記録した非一時的コンピュータ可読媒体を含む。プログラムコードは、また、（１つまたは複数の）プロセッサに、アグレッサｅＮｏｄｅＢにチャネル状態情報報告を送信することも行わせる。
【００１３】
また別の態様によれば、ワイヤレス通信のためのコンピュータプログラム製品が提示される。本コンピュータプログラム製品は、（１つまたは複数の）プロセッサによって実行されたとき、（１つまたは複数の）プロセッサに、非サーブドＵＥによって送信されるべきチャネル状態情報報告についての報告パラメータを決定する動作を実行することを行わせる、プログラムコードを記録した非一時的コンピュータ可読媒体を含む。プログラムコードは、また、（１つまたは複数の）プロセッサに、非サーブドＵＥからオーバーエアでＣＳＩ報告を受信することも行わせる。
【００１４】
さらに別の態様によれば、ワイヤレス通信のための装置が提示される。本装置は、メモリと、メモリに結合された少なくとも１つのプロセッサとを含む。（１つまたは複数の）プロセッサは、サービングｅＮｏｄｅＢからのダウンリンク信号に干渉しているアグレッサｅＮｏｄｅＢを識別するように構成される。（１つまたは複数の）プロセッサは、また、アグレッサｅＮｏｄｅＢにチャネル状態情報報告を送信するように構成される。
【００１５】
さらに別の態様によれば、ワイヤレス通信のための装置が提示される。本装置は、メモリと、メモリに結合された少なくとも１つのプロセッサとを含む。（１つまたは複数の）プロセッサは、非サーブドＵＥによって送信されるべきチャネル状態情報報告についての報告パラメータを決定するように構成される。（１つまたは複数の）プロセッサは、また、非サーブドＵＥからオーバーエアでＣＳＩ報告を受信するように構成される。
【００１６】
以下で、本開示の追加の特徴および利点について説明する。本開示は、本開示の同じ目的を実行するための他の構造を変更または設計するための基礎として容易に利用され得ることを、当業者は諒解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【００１７】
本開示の特徴、特性、および利点は、全体を通じて同様の参照符号が同様のものを指す図面とともに以下の詳細な説明を読めば、より明らかになろう。
【図面の簡単な説明】
【００１８】
【図１】ネットワークアーキテクチャの一例を示す図。
【図２】アクセスネットワークの一例を示す図。
【図３】ＬＴＥにおけるダウンリンクフレーム構造の一例を示す図。
【図４】ＬＴＥにおけるアップリンクフレーム構造の一例を示す図。
【図５】ユーザプレーンおよび制御プレーンのための無線プロトコルアーキテクチャの一例を示す図。
【図６】アクセスネットワーク中の発展型ＮｏｄｅＢおよびユーザ機器の一例を示す図。
【図７】本開示の一態様による、異種ネットワークにおける適応リソースパーティショニングを概念的に示すブロック図。
【図８】多地点協調（ＣｏＭＰ：coordinated multi point）ネットワークを概念的に示すブロック図。
【図９】チャネル状態情報がサービングセルに送信され得る従来のネットワークを示すブロック図。
【図１０】本開示の一態様による、チャネル状態情報がサービングセルに送信され、非サービングセルにも送信され得る、ネットワークを示すブロック図。
【図１１】多地点ＰＵＣＣＨアタッチメントのための方法を示すブロック図。
【図１２】例示的な装置中の異なるモジュール／手段／コンポーネント間のデータフローを示す概念データフロー図。
【図１３】例示的な装置中の異なるモジュール／手段／コンポーネントを示すブロック図。
【図１４】多地点ＰＵＣＣＨアタッチメントのための方法を示すブロック図。
【図１５】例示的な装置中の異なるモジュール／手段／コンポーネント間のデータフローを示す概念データフロー図。
【図１６】例示的な装置中の異なるモジュール／手段／コンポーネントを示すブロック図。
【詳細な説明】
【００１９】
添付の図面に関して以下に示す詳細な説明は、様々な構成を説明するものであって、本明細書で説明する概念が実施され得る唯一の構成を表すものではない。以下の詳細な説明は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造およびコンポーネントをブロック図の形式で示す。
【００２０】
電気通信システムの諸態様を、様々な装置および方法に関連して提示する。これらの装置および方法について、以下の詳細な説明において説明し、（「要素」と総称される）様々なブロック、モジュール、コンポーネント、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、具体的な適用例および全体的なシステムに課された設計制約に依存する。
【００２１】
例として、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００２２】
したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００２３】
図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００２４】
Ｅ−ＵＴＲＡＮは、発展型ＮｏｄｅＢ（ｅＮｏｄｅＢ）１０６と他のｅＮｏｄｅＢ１０８とを含む。ｅＮｏｄｅＢ１０６は、ＵＥ１０２に対してユーザプレーンプロトコル終端と制御プレーンプロトコル終端とを与える。ｅＮｏｄｅＢ１０６は、バックホール（たとえば、Ｘ２インターフェース）を介して他のｅＮｏｄｅＢ１０８に接続され得る。ｅＮｏｄｅＢ１０６は、また、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮｏｄｅＢ１０６は、ＵＥ１０２にＥＰＣ１１０へのアクセスポイントを与える。ＵＥ１０２の例には、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、また、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２５】
ｅＮｏｄｅＢ１０６は、たとえば、Ｓ１インターフェースを介して、ＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を提供する。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００２６】
図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮｏｄｅＢ２０８は、セル２０２のうちの１つまたは複数とオーバーラップするセルラー領域２１０を有し得る。より低い電力クラスのｅＮｏｄｅＢ２０８は、リモートラジオヘッド（ＲＲＨ：remote radio head）、フェムトセル（たとえば、ホームｅＮｏｄｅＢ（ＨｅＮｏｄｅＢ：home eNodeB））、ピコセル、またはマイクロセルであり得る。各マクロｅＮｏｄｅＢ２０４は、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮｏｄｅＢ２０４は、無線ベアラ制御、承認制御、モビリティ制御、スケジューリング、セキュリティ、およびサービングゲートウェイ１１６への接続性を含む、すべての無線関係機能を担当する。
【００２７】
アクセスネットワーク２００によって採用される変調および多元接続スキームは、展開されている具体的な電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがダウンリンク上で使用され、ＳＣ−ＦＤＭＡがアップリンク上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータ・オプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ（登録商標））と、ＴＤ−ＳＣＤＭＡなど、ＣＤＭＡの他の変形態とを採用する、ユニバーサル地上無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、具体的な適用例およびシステムに課された全体的な設計制約に依存することになる。
【００２８】
ｅＮｏｄｅＢ２０４は、ＭＩＭＯ技術をサポートする複数のアンテナを有し得る。ＭＩＭＯ技術の使用により、ｅＮｏｄｅＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでダウンリンク上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。アップリンク上で、各ＵＥ２０６は、空間的にプリコーディングされたデータストリームを送信し、これにより、ｅＮｏｄｅＢ２０４は、空間的にプリコーディングされた各データストリームのソースを識別することが可能になる。
【００２９】
空間多重化は、概して、チャネル状態が良好であるときに使用される。チャネル状態があまり良好でないときには、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００３０】
以下の詳細な説明では、ダウンリンク上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは、精密な周波数で離間している。離間は、受信機がサブキャリアからデータを復元することを可能にする「直交性（orthogonality）」を与える。時間領域では、ＯＦＤＭシンボル間干渉に取り組むために、ガードインターバル（たとえば、サイクリックプレフィックス）が各ＯＦＤＭシンボルに追加され得る。アップリンクは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００３１】
図３は、ＬＴＥにおけるダウンリンクフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはダウンリンク基準信号（ＤＬ−ＲＳ：downlink reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ダウンリンク共有チャネル（ＰＤＳＣＨ：physical downlink shared channel）がマッピングされるリソースブロック上でのみ送信される。各リソース要素によって搬送されるビット数は変調スキームに依存する。したがって、ＵＥが受信するリソースブロックが多いほど、また変調スキームが高いほど、ＵＥのデータレートは高くなる。
【００３２】
図４は、ＬＴＥにおけるアップリンクフレーム構造の一例を示す図４００である。アップリンクのために利用可能なリソースブロックは、データセクションと制御セクションとにパーティショニングされ得る。制御セクションは、システム帯域幅の２つのエッジのところに形成され得、設定可能なサイズを有し得る。制御セクション中のリソースブロックは、制御情報を送信するためにＵＥに割り当てられ得る。データセクションは、制御セクション中に含まれないすべてのリソースブロックを含み得る。アップリンクフレーム構造は、データセクション中の連続するサブキャリアのすべてを単一のＵＥに割り当てることを可能にし得る連続サブキャリアを含むデータセクションを生じる。
【００３３】
ＵＥには、ｅＮｏｄｅＢに制御情報を送信するために、制御セクション中のリソースブロック４１０ａ、４１０ｂが割り当てられ得る。ＵＥには、ｅＮｏｄｅＢにデータを送信するために、データセクション中のリソースブロック４２０ａ、４２０ｂも割り当てられ得る。ＵＥは、制御セクション中の割り当てられたリソースブロック上の物理アップリンク制御チャネル（ＰＵＣＣＨ：physical uplink control channel）中で制御情報を送信し得る。ＵＥは、データセクション中の割り当てられたリソースブロック上の物理アップリンク共有チャネル（ＰＵＳＣＨ：physical uplink shared channel）中でデータのみまたはデータと制御情報の両方を送信し得る。アップリンク送信は、サブフレームの両方のスロットにわたり得、周波数上でホッピングし得る。
【００３４】
初期システムアクセスを実行し、物理ランダムアクセスチャネル（ＰＲＡＣＨ：physical random access channel）４３０中でアップリンク同期を達成するために、リソースブロックのセットが使用され得る。ＰＲＡＣＨ４３０は、ランダムシーケンスを搬送し、アップリンクデータ／シグナリングは搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある特定の時間リソースおよび周波数リソースに制限される。周波数ホッピングはＰＲＡＣＨにはない。ＰＲＡＣＨ試行は、単一のサブフレーム（１ｍｓ）中でまたは少数の連続サブフレームのシーケンス中で搬送され、ＵＥは、フレーム（１０ｍｓ）ごとに単一のＰＲＡＣＨ試行だけを行うことができる。
【００３５】
図５は、ＬＴＥにおけるユーザプレーンおよび制御プレーンのための無線プロトコルアーキテクチャの一例を示す図５００である。ＵＥおよびｅＮｏｄｅＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮｏｄｅＢとの間のリンクを担当する。
【００３６】
ユーザプレーンでは、Ｌ２レイヤ５０８は、ネットワーク側のｅＮｏｄｅＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００３７】
ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ｅＮｏｄｅＢ間のＵＥに対するハンドオーバサポートとを行う。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００３８】
制御プレーンでは、ＵＥおよびｅＮｏｄｅＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮｏｄｅＢとＵＥとの間のＲＲＣシグナリングを使用して下位レイヤを構成することとを担当する。
【００３９】
図６は、アクセスネットワーク中でＵＥ６５０と通信しているｅＮｏｄｅＢ６１０のブロック図である。ダウンリンクでは、コアネットワークからの上位レイヤパケットが、コントローラ／プロセッサ６７５に与えられる。コントローラ／プロセッサ６７５は、Ｌ２レイヤの機能を実装する。ダウンリンクでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００４０】
ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調スキーム（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、符号化および変調スキームを決定するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。
【００４１】
ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮｏｄｅＢ６１０によって送信される、可能性が最も高い信号のコンスタレーションポイントを決定することによって復元され、復調される。これらの軟判定は、チャネル推定器６５８によって計算されるチャネル推定値に基づき得る。軟判定は、次いで、物理チャネル上でｅＮｏｄｅＢ６１０によって最初に送信されたデータおよび制御信号を復元するために復号され、デインターリーブされる。データおよび制御信号は、次いでコントローラ／プロセッサ６５９に与えられる。
【００４２】
コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。アップリンクでは、コントローラ／プロセッサ６５９は、コアネットワークからの上位レイヤパケットを復元するために、トランスポートチャネルと論理チャネルとの間の多重分離（demultiplexing）と、パケットリアセンブリと、復号（deciphering）と、ヘッダ復元（header decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００４３】
アップリンクでは、データソース６６７は、コントローラ／プロセッサ６５９に上位レイヤパケットを与えるために使用される。データソース６６７は、Ｌ２レイヤの上のすべてのプロトコルレイヤを表す。ｅＮｏｄｅＢ６１０によるダウンリンク送信に関して説明した機能と同様に、コントローラ／プロセッサ６５９は、ヘッダ圧縮と、暗号化と、パケットのセグメント化および並べ替えと、ｅＮｏｄｅＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅＮｏｄｅＢ６１０へのシグナリングとを担当する。
【００４４】
ｅＮｏｄｅＢ６１０によって送信される基準信号またはフィードバックからの、チャネル推定器６５８によって導出されるチャネル推定値は、適切な符号化および変調スキームを選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４５】
アップリンク送信は、ＵＥ６５０における受信機機能に関して説明した方法と同様の方法でｅＮｏｄｅＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００４６】
コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。アップリンクでは、コントローラ／プロセッサ６７５は、ＵＥ６５０からの上位レイヤパケットを復元するために、トランスポートチャネルと論理チャネルとの間の多重分離と、パケットリアセンブリと、復号（deciphering）と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００４７】
図７は、本開示の一態様による、異種ネットワークにおけるＴＤＭパーティショニングを示すブロック図である。ブロックの第１の行はフェムトｅＮｏｄｅＢのためのサブフレーム割当てを示し、ブロックの第２の行はマクロｅＮｏｄｅＢのためのサブフレーム割当てを示している。ｅＮｏｄｅＢの各々が静的保護サブフレームを有し、その間、他方のｅＮｏｄｅＢは静的禁止サブフレームを有する。たとえば、フェムトｅＮｏｄｅＢは、サブフレーム０中の禁止サブフレーム（Ｎサブフレーム）に対応するサブフレーム０中の保護サブフレーム（Ｕサブフレーム）を有する。同様に、マクロｅＮｏｄｅＢは、サブフレーム７中の禁止サブフレーム（Ｎサブフレーム）に対応するサブフレーム７中の保護サブフレーム（Ｕサブフレーム）を有する。サブフレーム１〜６は、保護サブフレーム（ＡＵ）、禁止サブフレーム（ＡＮ）、および共通サブフレーム（ＡＣ）のいずれかとして動的に割り当てられる。動的に割り当てられたサブフレーム（ＡＵ／ＡＮ／ＡＣ）を本明細書ではまとめて「Ｘ」サブフレームと呼ぶ。サブフレーム５および６中の動的に割り当てられた共通サブフレーム（ＡＣ）の期間中に、フェムトｅＮｏｄｅＢとマクロｅＮｏｄｅＢの両方がデータを送信し得る。
【００４８】
保護サブフレーム（Ｕ／ＡＵサブフレームなど）では、アグレッサｅＮｏｄｅＢが送信を禁止されるので、干渉が低減され、チャネル品質が高い。禁止サブフレーム（Ｎ／ＡＮサブフレームなど）では、ビクティムｅＮｏｄｅＢが低い干渉レベルでデータを送信できるように、データを送信しない。共通サブフレーム（Ｃ／ＡＣサブフレームなど）では、チャネル品質は、データを送信するネイバーｅＮｏｄｅＢの数に依存する。たとえば、ネイバーｅＮｏｄｅＢが共通サブフレーム上でデータを送信している場合、共通サブフレームのチャネル品質は、保護サブフレームよりも低くなり得る。共通サブフレーム上のチャネル品質はまた、アグレッサｅＮｏｄｅＢによって強く影響を及ぼされるセル範囲拡大エリア（ＣＲＥ：cell range expansion area）ＵＥについてより低くなり得る。ＣＲＥ  ＵＥは、第１のｅＮｏｄｅＢに属するが、また、第２のｅＮｏｄｅＢのカバレージエリア中にも位置し得る。たとえば、フェムトｅＮｏｄｅＢカバレージの範囲限界の近くにあるマクロｅＮｏｄｅＢと通信しているＵＥは、ＣＲＥ  ＵＥである。
【００４９】
ＬＴＥ／−Ａにおいて採用され得る別の例示的な干渉管理スキームは、低速適応（slowly-adaptive）干渉管理である。この手法を干渉管理に使用すると、スケジューリング間隔よりもはるかにより大きい時間スケールにわたってリソースがネゴシエートされ、割り振られる。本スキームの目的は、ネットワークの総ユーティリティを最大にする、時間または周波数リソースのすべてにわたる、送信ｅＮｏｄｅＢおよびＵＥのすべてのための送信電力の組合せを発見することである。「ユーティリティ」は、ユーザデータレート、サービス品質（ＱｏＳ）フローの遅延、および公平性メトリックに応じて定義され得る。そのようなアルゴリズムは、最適化を解決するために使用される情報のすべてにアクセスでき、たとえばネットワークコントローラなどの送信エンティティのすべてを制御する、中央エンティティによって計算され得る。この中央エンティティは、常に実際的であるとは限らず、さらには望ましいとは限らないことがある。したがって、代替的な態様では、ノードのある特定のセットからのチャネル情報に基づいてリソース使用の決定を行う分散アルゴリズムが使用され得る。したがって、低速適応干渉アルゴリズムは、中央エンティティを使用して、またはネットワーク中のノード／エンティティの様々なセットにわたってアルゴリズムを分散させることによって、展開され得る。
【００５０】
ワイヤレスネットワーク１００など、異種ネットワークの展開では、ＵＥは、ＵＥが１つまたは複数の干渉ｅＮｏｄｅＢからの高い干渉を観測し得る支配的干渉シナリオにおいて動作し得る。支配的干渉シナリオは、制限された関連付けに起因して発生し得る。たとえば、図１では、ＵＥ１２０ｙは、フェムトｅＮｏｄｅＢ１１０ｙに近接し得、ｅＮｏｄｅＢ１１０ｙについて高い受信電力を有し得る。しかしながら、ＵＥ１２０ｙは、制限された関連付けに起因してフェムトｅＮｏｄｅＢ１１０ｙにアクセスすることができないことがあり、そして、（図１に示される）マクロｅＮｏｄｅＢ１１０ｃに、または（図１には示されていない）同じくより低い受信電力をもつフェムトｅＮｏｄｅＢ１１０ｚに接続し得る。その場合、ＵＥ１２０ｙは、ダウンリンク上でフェムトｅＮｏｄｅＢ１１０ｙからの高い干渉を観測し得、また、アップリンク上でｅＮｏｄｅＢ１１０ｙに高い干渉を引き起こし得る。協調干渉管理を使用すると、ｅＮｏｄｅＢ１１０ｃとフェムトｅＮｏｄｅＢ１１０ｙとは、リソースをネゴシエートするためにバックホールを介して通信し得る。ネゴシエーションにおいて、フェムトｅＮｏｄｅＢ１１０ｙは、それのチャネルリソースのうちの１つの上での送信を中止することに同意し、それにより、ＵＥ１２０ｙは、ＵＥ１２０ｙがその同じチャネルを介してｅＮｏｄｅＢ１１０ｃと通信するときほどに多くのフェムトｅＮｏｄｅＢ１１０ｙからの干渉を受けないことになる。
【００５１】
そのような支配的干渉シナリオでは、ＵＥと複数のｅＮｏｄｅＢとの間の距離が異なるので、同期システムにおいてさえも、ＵＥにおいて観測される信号電力の相違に加えて、ＵＥによってダウンリンク信号のタイミング遅延がまた観測され得る。同期システム中のｅＮｏｄｅＢは、推定的に、システムにわたって同期される。しかしながら、たとえば、マクロｅＮｏｄｅＢから５ｋｍの距離にあるＵＥについて考えると、そのマクロｅＮｏｄｅＢから受信されるダウンリンク信号の伝搬遅延は、約１６．６７μｓ（５ｋｍ÷３×１０８、すなわち、光速「ｃ」）遅延されることになる。マクロｅＮｏｄｅＢからのそのダウンリンク信号を、はるかに近いフェムトｅＮｏｄｅＢからのダウンリンク信号と比較すると、タイミング差は、時間トラッキングループ（ＴＴＬ：time tracking loop）エラーのレベルに接近し得る。
【００５２】
さらに、そのようなタイミング差は、ＵＥにおける干渉除去に影響を及ぼし得る。干渉除去は、同じ信号の複数のバージョンの組合せ間の相互相関特性をしばしば使用する。同じ信号の複数のコピーを組み合わせることによって、信号の各コピー上には干渉がある可能性が高いが、それは同じロケーションにはない可能性が高いので、干渉はより容易に識別され得る。組み合わされた信号の相互相関を使用すると、実際の信号部分が決定され、干渉とは区別され得、したがって干渉を除去することが可能になる。
【００５３】
ＬＴＥネットワークは、また、多地点協調（ＣｏＭＰ）送信特徴を含み得る。ＣｏＭＰは、全体的な通信性能を改善するための干渉緩和技法を与える。詳細には、基地局としても知られる複数のｅＮｏｄｅＢは、それらのｅＮｏｄｅＢが、１つまたは複数のＵＥに並列に同じ情報を同時に送信し得るように、互いに協調して働く。その同時送信は全体的な通信性能を改善する。
【００５４】
図８に、複数のｅＮｏｄｅＢ  ８１０ａ、８１０ｂ、８１０ｃ、８１０ｄがユーザ機器８２０に送信する、例示的な多地点協調（ＣｏＭＰ）ネットワーク８００を示す。複数のｅＮｏｄｅＢ  ８１０ａ、８１０ｂ、８１０ｃ、８１０ｄは互いに通信し得る。すなわち、各ｅＮｏｄｅＢは、他のｅＮｏｄｅＢのいずれとも通信し得る。たとえば、ｅＮｏｄｅＢ  ８１０ａなど、特定のｅＮｏｄｅＢが、ｅＮｏｄｅＢ  ８１０ｂ、８１０ｃ、および／または８１０ｄなど、他のｅＮｏｄｅＢと通信し得る。
【００５５】
一例では、ＣｏＭＰ送信は、受信信号対干渉雑音比（ＳＩＮＲ）を改善するために使用され得る。それに応じて、改善されたＳＩＮＲは、また、複数のｅＮｏｄｅＢによる協調動作を通じて拡張された空間多重化または干渉低減によって、データレートを改善し得る。そのような協調は、一般に、協調しているｅＮｏｄｅＢの間の増加した同期およびメッセージ交換を指定する。
【００５６】
ダウンリンクＣｏＭＰのサポートのためのフィードバック技法は、明示的フィードバック、暗黙的フィードバック、および／またはサウンディング基準信号（ＳＲＳ：sounding reference signal）のＵＥ送信のいずれかとして特徴づけられ得る。明示的フィードバックでは、いかなる送信機または受信機処理をも仮定することなしに、受信機によって観測された情報が送信機に返送される。暗黙的フィードバックでは、異なる送信および／または受信処理の仮定を使用する情報が送信機に返送される（たとえば、チャネル品質インジケーション（ＣＱＩ：channel quality indication）、プリコーダ行列インジケーション（ＰＭＩ：precoder matrix indication）、およびランクインジケーション（ＲＩ：rank indication））。サウンディング基準信号のユーザ機器送信は、チャネル相反性を利用したｅＮｏｄｅＢにおけるチャネル状態情報（ＣＳＩ）推定のために使用され得る。
【００５７】
ＣｏＭＰ送信は、協調スケジューリング／ビームフォーミング（ＣＳ／ＣＢ：coordinated scheduling/beamforming）、動的セル選択（ＤＣＳ：dynamic cell selection）、およびジョイント送信（ＪＴ：joint transmission）として特徴づけられ得る。協調スケジューリング／ビームフォーミングでは、データがサービングセルにおいてのみ利用可能であるが、ユーザスケジューリング／ビームフォーミング決定は、ＣｏＭＰ協働セット（ＣＣＳ：CoMP cooperating set）に対応するセル間の協調とともに行われる。動的セル選択およびジョイント送信は、ジョイント処理のタイプである。動的セル選択（ＤＣＳ）では、ＰＤＳＣＨは、ＣｏＭＰ協働セット内で一度に１つの地点から送信される。ジョイント送信では、ＰＤＳＣＨは一度に複数の地点から送信される。より詳細には、データは、複数の送信地点から単一のＵＥに同時に送信される。  
多地点ＰＵＣＣＨアタッチメント
上述のＣｏＭＰ送信は、ＵＥからのチャネル状態情報フィードバックを指定する。従来のＣｏＭＰネットワークでは、ＵＥは、サービングｅＮｏｄｅＢにチャネル状態情報を送信し、サービングｅＮｏｄｅＢは、Ｘ２インターフェースなど、バックホールを介して干渉ｅＮｏｄｅＢにチャネル状態情報を送信する。
【００５８】
図９に、従来のＣｏＭＰネットワーク９００を示す。図９に示すように、ネットワーク９００は、マクロセル９１０、ピコセル９１２、およびＵＥ９１４を含む。一例として、ＵＥ９１４は、ピコセル９１２（たとえば、サービングセル）によってサービスされ、マクロセル９１０（たとえば、アグレッサセル）からの信号が干渉として扱われ得る。
【００５９】
ＵＥは、ピコセル９１２（たとえば、サービングセル）に、ＰＵＣＣＨなどの制御チャネルを介してチャネル状態情報を周期的に報告し得る。ＣｏＭＰネットワークでは、ＵＥ９１４は、マクロセル９１０など、他のセルのためのチャネル状態情報（ＣＳＩ）を報告するように要求され得る。チャネル状態情報は、一般にＵＥからサービングセルに送信されるだけである。したがって、ピコセル９１２は、ＵＥ９１４から制御チャネル上で送信を受信し、受信された制御チャネルからチャネル状態情報を抽出し得る。ピコセル９１２は、バックホール９２０（たとえば、Ｘ２）を介してマクロセル９１０に抽出されたチャネル状態情報を送信し得る。本開示では、セルという用語はｅＮｏｄｅＢを指すこともある。
【００６０】
チャネル状態情報のバックホール交換によるレイテンシを低減するチャネル状態情報報告スキームを提供することが望まれる。本開示の態様は、制御チャネル多地点アタッチメントを介したサービングセルと１つまたは複数の非サービングセルとへの周期的オーバージエアチャネル状態情報報告のためのものである。
【００６１】
本開示の一態様によれば、ＵＥが、サービングセルと非サービングセルとに制御チャネルを介してチャネル状態情報を直接送信し得る。すなわち、ＵＥは、制御チャネルを介してサービングセルと非サービングセルの両方にチャネル状態情報を周期的に送信し得る。
【００６２】
一態様によれば、ＣＳＩ／ＰＭＩ報告パラメータの２つのセットが与えられ得る。ＣＳＩ／ＰＭＩパラメータの１つのセットはサービングセルのためのものであり得、ＣＳＩ／ＰＭＩパラメータの第２のセットはアグレッサセルのためのものであり得る。場合によっては、２つのセット間の潜在的衝突を緩和するために、タイブレークルールが使用され得る。
【００６３】
図１０に、本開示の一態様によるＣｏＭＰネットワーク１０００を示す。図１０に示すように、ネットワーク１０００は、マクロセル１０１０と、ピコセル１０１２と、ＵＥ１０１４とを含む。マクロセル１０１０とピコセル１０１２は、バックホール１０２０を介して通信し得る。一例として、ＵＥ１０１４は、ピコセル１０１２（たとえば、サービングセル）のカバレージエリア１０２２中にあり、ピコセル１０１２によってサービスされる。さらに、ＵＥは、マクロセル１０１０（たとえば、アグレッサセル）を、ピコセル１０１２からのダウンリンク信号に干渉しているセルとして識別し得る。一態様によれば、マクロセル１０１０をアグレッサとして識別した後に、ＵＥは、ピコセル１０１２とマクロセル１０１０の両方に、ＰＵＣＣＨなどの制御チャネルを介してチャネル状態情報を周期的に報告し得る。
【００６４】
別の態様によれば、サービングセルは、特定のＵＥが制御チャネル上でアグレッサセルにチャネル状態情報報告を送信するようにスケジュールされたときに、該特定のＵＥのための共有チャネル上での送信をスケジュールしない。すなわち、サービングセル中のアップリンクスケジューラが、アグレッサセルのためのチャネル状態情報報告に気づいていることがある。いくつかの態様では、サービングセルは、チャネル状態情報報告を送信している特定のＵＥのための共有チャネル送信を制限するだけであり、他のＵＥは、特定のＵＥが制御チャネル上でチャネル状態情報報告を送信している間、依然として共有チャネル上で送信し得る。
【００６５】
場合によっては、送信は、スケジュールされた送信間のタイミング差に応じて、チャネル状態情報報告が予想される前または後のサブフレームにおいてスケジュールされないことがある。詳細には、アグレッサセルへの制御チャネル上でのチャネル状態情報報告送信が、サービングセルの２つ以上のサブフレームとオーバーラップする場合、サービングセルは、オーバーラップするサブフレーム上で、ＰＵＳＣＨなどの共有チャネルをスケジュールするのを控え得る。
【００６６】
たとえば、共有チャネル送信がサブフレーム１〜３についてスケジュールされた場合、共有チャネル送信は、アグレッサセルのためのチャネル状態情報報告がサブフレーム１、２、または３のいずれかの間にスケジュールされた場合、遅延され得る。別の態様では、タイブレークルールが、異なるチャネル状態情報報告（すなわち、アグレッサ報告およびサービングセル報告）のために相互排他的なリソース（たとえば、サブフレーム）を割り当て得る。すなわち、各チャネル状態情報報告について、周期性は異なり得、および／または実際の割り当てられたリソースは異なり得る。
【００６７】
一態様によれば、アグレッサセルは、非サーブドＵＥのためのフルＵＥコンテキストを維持しない。すなわち、アグレッサセルは、低減された状態のＵＥコンテキストを使用し得る。ＵＥコンテキストは、最も一般的にはサービングセルについて指定された、ＵＥに関連付けられた変数を指す。したがって、アグレッサセルは、チャネル状態情報を取得するために、ＵＥからの特定の、より限られた情報を使用するだけであり得る。その特定の情報は、報告のタイプ、ＵＥアイデンティティ、および制御チャネルのための送信サブフレーム／リソースブロックを含み得る。さらに、アグレッサセルによる復号を容易にするために、ＵＥは、チャネル状態情報報告を準備するときに、アグレッサセルのセルＩＤを使用し得る。
【００６８】
一態様によれば、ＵＥとサービングセルとの間の、およびＵＥと各アグレッサセルとの間の、遅延および／または経路損失を補償するために、２つ以上のタイミングアドバンスおよび制御チャネル電力制御ループが使用され得る。すなわち、サービングセルは、関連付けられたＵＥが、サービングセルとアグレッサセルとにチャネル状態情報を報告するときに異なるタイミング基準を使用し得るように、そのＵＥのためのアップリンクタイミングおよびアップリンク電力を制御し得る。
【００６９】
たとえば、サービングセルに関する伝搬遅延とアグレッサセルに関する伝搬遅延との差が大きいことがあり、したがって、アグレッサセルおよびサービングセルからＵＥに対して異なるタイミングアドバンスおよび電力制御コマンドが指定され得る。それらのタイミングアドバンスおよび／または電力制御ループは、サービングセルとアグレッサセルとの間で時間および／または周波数を同期させるために使用され得る。場合によっては、アグレッサセルは、ＵＥからの伝搬遅延および／または経路損失を計算し得、バックホール（たとえば、Ｘ２）を介してサービングセルにタイミングアドバンスおよび／または電力制御コマンドを与える。サービングセルは、受信されたコマンドをＵＥに送信し得る。一態様によれば、受信されたコマンドは、無線リソース制御（ＲＲＣ）情報要素を介してＵＥに送信され得る。
【００７０】
ＵＥは、制御チャネルのペイロードタイプについて異なる構成を使用し得る。一態様によれば、制御チャネルは同じペイロードを含み、その結果、制御チャネルのコンテンツは、ペイロードを受信しているセルにかかわらず同じである。すなわち、ＵＥは、制御チャネル上で両方のセル（たとえば、アグレッサおよびサービング）に同じチャネル状態情報報告を送信する。一態様によれば、制御チャネルは、チャネル状態情報が、複数仮定チャネル状態情報、またはＣｏＭＰのために調整された他のチャネル状態情報スキームに基づく場合、両方のセルのためのチャネル状態情報を含む。
【００７１】
別の態様によれば、制御チャネルは、宛先セルに応じて異なるペイロードを含み得る。たとえば、各セルが、その特定のセルを対象とするチャネル状態情報に関して通知され得る。この態様は、チャネル状態情報のための独立した推定と報告とを使用するＣｏＭＰチャネル状態情報スキームのために使用され得る（たとえば、複数のリリース８フィードバック）。
【００７２】
さらに別の態様によれば、非周期的チャネル状態情報報告が共有チャネルを介して送信され得る。非周期的報告は、アグレッサセルによってトリガされ得る。すなわち、アグレッサセルは、バックホールを介してサービングセルに要求を送信することによって、ＵＥに非周期的チャネル状態情報報告を要求し得る。サービングセルは、次いで、ＵＥに、ＰＤＣＣＨなどのダウンリンク制御チャネルを介して要求を送信し得る。チャネル状態情報要求は、非サービングセル（たとえば、アグレッサセル）にチャネル状態情報を報告するようにＵＥに命令するためのフラグを含み得る。場合によっては、複数のセルのための非周期的チャネル状態情報報告を要求するために、マルチキャリアシグナリングスキームが再利用され得る。
【００７３】
別の態様によれば、チャネル状態情報は、ダウンリンク／アップリンクサブフレームパーティショニングが実現された場合、ＴＤＤにおいて複数のセルに報告され得る。すなわち、サービングセルとアグレッサセルが異なるアップリンク／ダウンリンクパーティショニングを有する場合、チャネル状態情報は、両方のパーティションに共通のアップリンクサブフレーム上で送信され得る。サービングセルとアグレッサセルの両方が、ＵＥからのほぼ同じペイロードおよび伝搬遅延を有する場合、両方のセルは同じ報告を復号し得る。すなわち、各セルについて異なるチャネル状態情報報告が指定されないことがある。本態様では、干渉セルが、サービングセルの物理セルＩＤ（ＰＣＩ：physical cell ID）を使用して制御チャネルまたは共有チャネルを復号し得る。
【００７４】
上記で説明したように、サービングセルとアグレッサセルは、Ｘ２インターフェースなど、バックホールメッセージ交換を介してメッセージを交換し得る。バックホールメッセージは、周期的チャネル状態情報報告パラメータ、制御チャネルリソース、タイミングアドバンスおよび電力制御情報および／または電力制御コマンド、ならびに／あるいはＵＥの状態（たとえば、ＵＥがアイドルやハンドオーバに移行することなど）など、情報を含み得る。
【００７５】
別の実施形態によれば、ＵＥは、サービングセルにチャネル状態情報を報告するだけであり、アグレッサセルは、チャネル状態情報報告をインターセプトし得る。詳細には、アグレッサセルは、制御チャネルのサブフレームおよび／またはリソースブロック、またさらにサービングセルのセルＩＤなど、周期的チャネル状態情報報告パラメータのバックホール通信を介して通知される。アグレッサセルは、該アグレッサセルが該アグレッサセルを対象とするチャネル状態情報を取得し得るように、サービングセルに関連付けられたチャネル状態情報を除外するためにＣｏＭＰタイプチャネル状態情報分析を使用し得る。
【００７６】
別の態様によれば、アグレッサセルは、制御チャネルがアグレッサセルのタイミングとアラインしないことがあり、ＵＥがアグレッサセルへの送信を改善しないので、改善された制御チャネル復号アルゴリズムを使用し得る。たとえば、ＵＥは、該ＵＥがチャネル状態情報のアグレッサセルのインターセプションに気づいていないので、異なる電力制御スキームまたは異なるタイミングアドバンスを使用しないことがある。
【００７７】
別の態様によれば、アグレッサセルは、潜在的アップリンク干渉を低減するために、および潜在的アップリンク干渉を低減することによってメッセージをインターセプトする可能性を改善するために、アグレッサセルに関連付けられたＵＥの共有チャネル送信をスケジュールすることを回避し得る。さらに、サービングセルは、周期的チャネル状態情報報告が予想されるときに、共有チャネル上での送信をスケジュールすることを回避し得る。この態様では、単一のタイミングアドバンスおよび電力制御ループが使用され得る。
【００７８】
図１１に、ワイヤレス通信のための方法１１００を示す。ブロック１１０２において、ＵＥが、サービングｅＮｏｄｅＢからのダウンリンク信号に干渉しているアグレッサｅＮｏｄｅＢを識別する。アグレッサｅＮｏｄｅＢは、ピコセルであり得、ＵＥがマクロセルに接続されたときにアグレッサとして検出され得る。干渉は、ＲＡＴ間（inter-RAT）またはＲＡＴ内（intra-RAT）干渉であり得る。
【００７９】
ブロック１１０４において、一態様によれば、ＵＥは、アップリンクチャネル上でアグレッサｅＮｏｄｅＢのためのチャネル状態情報報告をどのように送信すべきかを示す信号を受信し、該信号はサービングｅＮｏｄｅＢによって与えられる。いくつかの態様では、どのように送信すべきかを示す信号は、周期性、オフセットパラメータ、タイミングアドバンスコマンド、電力制御コマンド、および／または非周期的報告要求を含む。さらに、いくつかの態様では、上記信号はサービングｅＮｏｄｅＢを介してアグレッサｅＮｏｄｅＢから受信される。
【００８０】
最後に、ＵＥは、ブロック１１０６において、アグレッサｅＮｏｄｅＢにチャネル状態情報報告を送信する。一態様によれば、チャネル状態情報報告は、制御チャネルを介して周期的に送信され得る。さらに、いくつかの態様では、チャネル状態情報報告は、アグレッサｅＮｏｄｅＢのための情報のみを含み得る。代替的に、チャネル状態情報報告は、アグレッサｅＮｏｄｅＢとサービングｅＮｏｄｅＢの両方のための情報を含み得る。
【００８１】
一構成では、ＵＥ６５０は、ワイヤレス通信のために構成され、識別するための手段と、受信するための手段と、送信するための手段とを含む。一態様では、上記識別手段、受信手段、および／または送信手段は、上記識別手段、受信手段、および／または送信手段によって記述された機能を実行するように構成された、コントローラ／プロセッサ６５９およびメモリ６６０、受信プロセッサ６５６、ＴＸプロセッサ６６８、変調器６５４、アンテナ６５２であり得る。別の態様では、上述の手段は、上述の手段によって記述された機能を実行するように構成された任意のモジュールまたは任意の装置であり得る。
【００８２】
図１２は、例示的な装置１２００中の異なるモジュール／手段／コンポーネント間のデータフローを示す概念データフロー図である。装置１２００は、サービングｅＮｏｄｅＢからのダウンリンク信号に干渉しているアグレッサｅＮｏｄｅＢを識別する干渉モジュール１２０２を含む。干渉モジュール１２０２は、受信モジュール１２０６において受信された信号１２１０から検出された干渉を介してアグレッサｅＮｏｄｅＢを決定し、識別し得る。装置１２００は、アップリンクチャネル上でアグレッサｅＮｏｄｅＢのためのチャネル状態情報報告をどのように送信すべきかを示す信号を受信する報告モジュール１２０４をさらに含む。報告モジュールは、上記信号をサービングｅＮｏｄｅＢから受信し得る。サービングｅＮｏｄｅＢから送信された信号は、受信モジュールにおいて受信され、報告モジュールに送信され得る。干渉モジュール１２０２は、報告モジュールに検出された干渉を報告し得る。報告モジュール１２０４は、さらに、アグレッサｅＮｏｄｅＢにチャネル状態情報報告を送信するように送信モジュール１２０８を制御し得る。その送信は、送信モジュール１２０８から送信された信号１２１２を介して送られ得る。本装置は、上述のフローチャート図１１中のアルゴリズムのステップの各々を実行する追加のモジュールを含み得る。したがって、上述のフローチャート図１１中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェアコンポーネントであるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００８３】
図１３は、処理システム１３１４を採用する装置１３００のためのハードウェア実装形態の一例を示す図である。処理システム１３１４は、バス１３２４によって概略的に表されるバスアーキテクチャを用いて実装され得る。バス１３２４は、処理システム１３１４の具体的な適用例および全体的な設計制約に応じて、任意の数の相互接続バスおよびブリッジを含み得る。バス１３２４は、プロセッサ１３２２によって表される１つまたは複数のプロセッサおよび／またはハードウェアモジュールと、モジュール１３０２、１３０４、１３０６と、コンピュータ可読媒体１３２６とを含む様々な回路を互いにリンクする。バス１３２４はまた、タイミングソース、周辺機器、電圧調整器、および電力管理回路など、様々な他の回路をリンクし得るが、これらの回路は当該技術分野においてよく知られており、したがって、これ以上説明しない。
【００８４】
本装置は、トランシーバ１３３０に結合された処理システム１３１４を含む。トランシーバ１３３０は、１つまたは複数のアンテナ１３２０に結合される。トランシーバ１３３０は、伝送媒体を介して様々な他の装置と通信することを可能にする。処理システム１３１４は、コンピュータ可読媒体１３２６に結合されたプロセッサ１３２２を含む。プロセッサ１３２２は、コンピュータ可読媒体１３２６に記憶されたソフトウェアの実行を含む一般的な処理を担当する。ソフトウェアは、プロセッサ１３２２によって実行されたとき、処理システム１３１４に、いずれかの特定の装置について説明される様々な機能を実行させる。コンピュータ可読媒体１３２６はまた、ソフトウェアを実行するときにプロセッサ１３２２によって操作されるデータを記憶するために使用され得る。
【００８５】
処理システム１３１４は、サービングｅＮｏｄｅＢからのダウンリンク信号に干渉しているアグレッサｅＮｏｄｅＢを識別するための干渉モジュール１３０２を含む。処理システム１３１４は、アップリンクチャネル上でアグレッサｅＮｏｄｅＢのためのＣＳＩ報告をどのように送信すべきかを示す信号を受信するための受信モジュール１３０４であって、該信号がサービングｅＮｏｄｅＢによって与えられる、受信モジュール１３０４を含む。処理システム１３１４は、アグレッサｅＮｏｄｅＢにチャネル状態情報（ＣＳＩ）報告を送信するための送信モジュール１３０６をさらに含む。それらのモジュールは、プロセッサ１３２２中で動作する、コンピュータ可読媒体１３２６中に存在する／記憶されたソフトウェアモジュールであるか、プロセッサ１３２２に結合された１つまたは複数のハードウェアモジュールであるか、またはそれらの何らかの組合せであり得る。処理システム１３１４は、ＵＥ６５０のコンポーネントであり得、メモリ６６０および／またはコントローラ／プロセッサ６５９を含み得る。
【００８６】
図１４に、ワイヤレス通信のための方法１４００を示す。ブロック１４０２において、ｅＮｏｄｅＢが、非サーブドＵＥによって送信されるべきＣＳＩ報告についての報告パラメータを決定する。いくつかの態様では、そのパラメータは、周期性、オフセットパラメータ、タイミングアドバンスコマンド、電力制御コマンド、および／または非周期的報告要求を含む。
【００８７】
ブロック１４０４において、一態様によれば、ｅＮｏｄｅＢは、非サーブドＵＥのサービングｅＮｏｄｅＢを介して非サーブドＵＥに報告パラメータを通信する。ｅＮｏｄｅＢは、Ｘ２インターフェースなど、バックホールを介してサービングｅＮｏｄｅＢに、電力制御コマンド、タイミングアドバンスコマンド、および／または非周期的報告要求など、情報を送信し得る。
【００８８】
最後に、ｅＮｏｄｅＢは、ブロック１４０６において、非サーブドＵＥからオーバーエアでＣＳＩ報告を受信する。一態様によれば、チャネル状態情報報告は、制御チャネルを介して周期的に送信され得る。さらに、いくつかの態様では、チャネル状態情報報告は、アグレッサｅＮｏｄｅＢのための情報のみを含み得る。代替的に、チャネル状態情報報告は、アグレッサｅＮｏｄｅＢとサービングｅＮｏｄｅＢの両方のための情報を含み得る。
【００８９】
一構成では、ｅＮｏｄｅＢ６１０は、ワイヤレス通信のために構成され、決定するための手段と、通信するための手段と、受信するための手段とを含む。一態様では、上記決定手段、通信手段、および／または受信手段は、上記決定手段、通信手段、および／または受信手段によって記述された機能を実行するように構成された、コントローラ／プロセッサ６７５、送信プロセッサ６１６、ＲＸプロセッサ６７０、アンテナ６２０、変調器６１８、およびメモリ６７６であり得る。別の態様では、上述の手段は、上述の手段によって記述された機能を実行するように構成された任意のモジュールまたは任意の装置であり得る。
【００９０】
図１５は、例示的な装置１５００中の異なるモジュール／手段／コンポーネント間のデータフローを示す概念データフロー図である。装置１５００は、非サーブドＵＥによって送信されるべきＣＳＩ報告についての報告パラメータを決定する決定モジュール１５０２を含む。装置１５００は、また、非サーブドＵＥのサービングｅＮｏｄｅＢを介して非サーブドＵＥに報告パラメータを通信する通信モジュール１５０４を含む。通信モジュールは、送信モジュール１５０８を介して報告パラメータを送信する。送信モジュール１５０８は、バックホール上で送られた信号１５１２を介して報告パラメータを送信し得る。装置１５００は、非サーブドＵＥによって送信された信号１５１０からＣＳＩ報告を受信する受信モジュール１５０６をさらに含み得る。本装置は、上述のフローチャート図１４中のアルゴリズムのステップの各々を実行する追加のモジュールを含み得る。したがって、上述のフローチャート図１４中の各ステップは、１つのモジュールによって実行され得、本装置は、それらのモジュールのうちの１つまたは複数を含み得る。それらのモジュールは、述べられたプロセス／アルゴリズムを行うように特に構成された１つまたは複数のハードウェアコンポーネントであるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００９１】
図１６は、処理システム１６１４を採用する装置１６００のためのハードウェア実装形態の一例を示す図である。処理システム１６１４は、バス１６２４によって概略的に表されるバスアーキテクチャを用いて実装され得る。バス１６２４は、処理システム１６１４の具体的な適用例および全体的な設計制約に応じて、任意の数の相互接続バスおよびブリッジを含み得る。バス１６２４は、プロセッサ１６２２によって表される１つまたは複数のプロセッサおよび／またはハードウェアモジュールと、モジュール１６０２、１６０４、１６０６と、コンピュータ可読媒体１６２６とを含む様々な回路を互いにリンクする。バス１６２４はまた、タイミングソース、周辺機器、電圧調整器、および電力管理回路など、様々な他の回路をリンクし得るが、これらの回路は当該技術分野においてよく知られており、したがって、これ以上説明しない。
【００９２】
本装置は、トランシーバ１６３０に結合された処理システム１６１４を含む。トランシーバ１６３０は、１つまたは複数のアンテナ１６２０に結合される。トランシーバ１６３０は、伝送媒体を介して様々な他の装置と通信することを可能にする。処理システム１６１４は、コンピュータ可読媒体１６２６に結合されたプロセッサ１６２２を含む。プロセッサ１６２２は、コンピュータ可読媒体１６２６に記憶されたソフトウェアの実行を含む一般的な処理を担当する。ソフトウェアは、プロセッサ１６２２によって実行されたとき、処理システム１６１４に、いずれかの特定の装置について説明される様々な機能を実行させる。コンピュータ可読媒体１６２６はまた、ソフトウェアを実行するときにプロセッサ１６２２によって操作されるデータを記憶するために使用され得る。
【００９３】
処理システム１６１４は、非サーブドユーザ機器によって送信されるべきＣＳＩ報告についての報告パラメータを決定するための決定モジュール１６０２を含む。処理システム１６１４は、また、非サーブドＵＥのサービングｅＮｏｄｅＢを介して非サーブドＵＥに報告パラメータを通信するための通信モジュール１６０４を含む。処理システム１６１４は、非サーブドＵＥからオーバーエアでＣＳＩ報告を受信するための受信モジュール１６０６をさらに含み得る。それらのモジュールは、プロセッサ１６２２中で動作する、コンピュータ可読媒体１６２６中に存在する／記憶された、ソフトウェアモジュールであるか、プロセッサ１６２２に結合された１つまたは複数のハードウェアモジュールであるか、またはそれらの何らかの組合せであり得る。処理システム６１４は、ＵＥ６５０のコンポーネントであり得、メモリ６６０および／またはコントローラ／プロセッサ６５９を含み得る。
【００９４】
さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的なコンポーネント、ブロック、モジュール、回路、およびステップについて、上記では概してそれらの機能に関して説明した。そのような機能をハードウェアとして実装するか、ソフトウェアとして実装するかは、具体的な適用例および全体的なシステムに課された設計制約に依存する。当業者は、説明した機能を具体的な適用例ごとに様々な方法で実装し得るが、そのような実装の決定は、本開示の範囲からの逸脱を生じるものと解釈されるべきではない。
【００９５】
本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェアコンポーネント、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００９６】
本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当該技術分野で知られている任意の他の形態の記憶媒体中に存在し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別コンポーネントとして存在し得る。
【００９７】
１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）およびｂｌｕ−ｒａｙディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００９８】
本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］  サービングｅＮｏｄｅＢからのダウンリンク信号に干渉しているアグレッサｅＮｏｄｅＢを識別することと、
前記アグレッサｅＮｏｄｅＢにチャネル状態情報（ＣＳＩ）報告を送信することと
を含む、ワイヤレス通信の方法。
［Ｃ２］  アップリンクチャネル上で前記アグレッサｅＮｏｄｅＢのための前記ＣＳＩ報告をどのように送信すべきかを示す信号を受信することであって、前記信号が前記サービングｅＮｏｄｅＢによって提供される、受信すること
をさらに含む、Ｃ１に記載の方法。
［Ｃ３］  前記信号が、少なくとも周期性、オフセットパラメータ、タイミングアドバンスコマンド、電力制御コマンド、および／または非周期的報告要求を含む、Ｃ２に記載の方法。
［Ｃ４］  前記信号が、バックホールを介して前記アグレッサｅＮｏｄｅＢから前記サービングｅＮｏｄｅＢに送信される、Ｃ３に記載の方法。
［Ｃ５］  前記ＣＳＩ報告が、前記アグレッサｅＮｏｄｅＢに関連する情報のみを含む、Ｃ１に記載の方法。
［Ｃ６］  前記ＣＳＩ報告が、前記アグレッサｅＮｏｄｅＢに関連する情報と、前記サービングｅＮｏｄｅＢに関連する情報とを含む、Ｃ１に記載の方法。
［Ｃ７］  前記送信することが、ＰＵＣＣＨチャネル上で周期的に行われる、Ｃ１に記載の方法。
［Ｃ８］  前記送信することが、前記アグレッサｅＮｏｄｅＢによってトリガされた信号であって、前記サービングｅＮｏｄｅＢからオーバーエアで受信された信号に応答して、ＰＵＳＣＨチャネル上で非周期的に行われる、Ｃ１に記載の方法。
［Ｃ９］  非サーブドユーザ機器（ＵＥ）によって送信されるべきチャネル状態情報（ＣＳＩ）報告についての報告パラメータを決定することと、
前記非サーブドＵＥからオーバーエアでＣＳＩ報告を受信することと
を含む、ワイヤレス通信の方法。
［Ｃ１０］  前記受信することが、非サービングｅＮｏｄｅＢにおいて実行される、Ｃ９に記載の方法。
［Ｃ１１］  前記ＣＳＩ報告がまたサービングｅＮｏｄｅＢによっても受信される、Ｃ１０に記載の方法。
［Ｃ１２］  前記ＣＳＩ報告がサービングｅＮｏｄｅＢによって受信されない、Ｃ１０に記載の方法。
［Ｃ１３］  前記受信することが、サービングｅＮｏｄｅＢを対象とするＣＳＩ報告をインターセプトすることを含む、Ｃ１０に記載の方法。
［Ｃ１４］  前記非サーブドＵＥのサービングｅＮｏｄｅＢを介して前記非サーブドＵＥに前記報告パラメータを通信することであって、前記報告パラメータが、少なくとも電力制御コマンド、タイミングアドバンスコマンド、および／または非周期的報告要求を含む、通信することをさらに含む、Ｃ９に記載の方法。
［Ｃ１５］  サービングｅＮｏｄｅＢからのダウンリンク信号に干渉しているアグレッサｅＮｏｄｅＢを識別するための手段と、
前記アグレッサｅＮｏｄｅＢにチャネル状態情報（ＣＳＩ）報告を送信するための手段と
を含む、ワイヤレス通信のための装置。
［Ｃ１６］  非サーブドユーザ機器（ＵＥ）によって送信されるべきチャネル状態情報（ＣＳＩ）報告についての報告パラメータを決定するための手段と、
前記非サーブドＵＥからオーバーエアでＣＳＩ報告を受信するための手段と
を含む、ワイヤレス通信のための装置。
［Ｃ１７］  プログラムコードを記録した非一時的コンピュータ可読媒体を含む、ワイヤレス通信のためのコンピュータプログラム製品であって、前記プログラムコードが、
サービングｅＮｏｄｅＢからのダウンリンク信号に干渉しているアグレッサｅＮｏｄｅＢを識別するためのプログラムコードと、
前記アグレッサｅＮｏｄｅＢにチャネル状態情報（ＣＳＩ）報告を送信するためのプログラムコードと、を含む、
コンピュータプログラム製品。
［Ｃ１８］  プログラムコードを記録した非一時的コンピュータ可読媒体を含む、ワイヤレス通信のためのコンピュータプログラム製品であって、前記プログラムコードが、
非サーブドユーザ機器（ＵＥ）によって送信されるべきチャネル状態情報（ＣＳＩ）報告についての報告パラメータを決定するためのプログラムコードと、
前記非サーブドＵＥからオーバーエアでＣＳＩ報告を決定受信するためのプログラムコードと、を含む、
コンピュータプログラム製品。
［Ｃ１９］  メモリと、
前記メモリに結合された少なくとも１つのプロセッサであって、
サービングｅＮｏｄｅＢからのダウンリンク信号に干渉しているアグレッサｅＮｏｄｅＢを識別することと、
前記アグレッサｅＮｏｄｅＢにチャネル状態情報（ＣＳＩ）報告を送信することと
を行うように構成された少なくとも１つのプロセッサと
を含む、ワイヤレス通信のための装置。
［Ｃ２０］  前記少なくとも１つのプロセッサは、アップリンクチャネル上で前記アグレッサｅＮｏｄｅＢのための前記ＣＳＩ報告をどのように送信すべきかを示す信号を受信することであって、前記信号が前記サービングｅＮｏｄｅＢによって提供される、受信することを行うようにさらに構成された、Ｃ１９に記載の装置。
［Ｃ２１］  前記信号が、少なくとも周期性、オフセットパラメータ、タイミングアドバンスコマンド、電力制御コマンド、および／または非周期的報告要求を含む、Ｃ２０に記載の装置。
［Ｃ２２］  前記信号が、バックホールを介して前記アグレッサｅＮｏｄｅＢから前記サービングｅＮｏｄｅＢに送信される、Ｃ２１に記載の装置。
［Ｃ２３］  前記ＣＳＩ報告が、前記アグレッサｅＮｏｄｅＢに関連する情報のみを含む、Ｃ１９に記載の装置。
［Ｃ２４］  前記ＣＳＩ報告が、前記アグレッサｅＮｏｄｅＢに関連する情報と、前記サービングｅＮｏｄｅＢに関連する情報とを含む、Ｃ１９に記載の装置。
［Ｃ２５］  前記送信することが、ＰＵＣＣＨチャネル上で周期的に行われる、Ｃ１９に記載の装置。
［Ｃ２６］  前記送信することが、前記アグレッサｅＮｏｄｅＢによってトリガされた信号であって、前記サービングｅＮｏｄｅＢからオーバーエアで受信された信号に応答して、ＰＵＳＣＨチャネル上で非周期的に行われる、Ｃ１９に記載の装置。
［Ｃ２７］  メモリと、
前記メモリに結合された少なくとも１つのプロセッサであって、
非サーブドユーザ機器（ＵＥ）によって送信されるべきチャネル状態情報（ＣＳＩ）報告についての報告パラメータを決定することと、
前記非サーブドＵＥからオーバーエアでＣＳＩ報告を受信することと
を行うように構成された少なくとも１つのプロセッサと
を含む、ワイヤレス通信のための装置。
［Ｃ２８］  前記受信することが、非サービングｅＮｏｄｅＢにおいて実行される、Ｃ２７に記載の装置。
［Ｃ２９］  前記ＣＳＩ報告がまたサービングｅＮｏｄｅＢによっても受信される、Ｃ２８に記載の装置。
［Ｃ３０］  前記ＣＳＩ報告がサービングｅＮｏｄｅＢによって受信されない、Ｃ２８に記載の装置。
［Ｃ３１］  前記受信することが、サービングｅＮｏｄｅＢを対象とするＣＳＩ報告をインターセプトすることを含む、Ｃ２８に記載の装置。
［Ｃ３２］  前記少なくとも１つのプロセッサは、前記非サーブドＵＥのサービングｅＮｏｄｅＢを介して前記非サーブドＵＥに前記報告パラメータを通信することであって、前記報告パラメータが、少なくとも電力制御コマンド、タイミングアドバンスコマンド、および／または非周期的報告要求を含む、通信することを行うようにさらに構成された、Ｃ２７に記載の装置。
【図１】
0005805876.tif 000002
【図２】
0005805876.tif 000003
【図３】
0005805876.tif 000004
【図４】
0005805876.tif 000005
【図５】
0005805876.tif 000006
【図６】
0005805876.tif 000007
【図７】
0005805876.tif 000008
【図８】
0005805876.tif 000009
【図９】
0005805876.tif 000010
【図１０】
0005805876.tif 000011
【図１１】
0005805876.tif 000012
【図１２】
0005805876.tif 000013
【図１３】
0005805876.tif 000014
【図１４】
0005805876.tif 000015
【図１５】
0005805876.tif 000016
【図１６】
0005805876.tif 000017